(57)【要約】      （修正有）【課題】精度の高い工作機械と取り合わせて使われ、配線板の精度定位を実現でき、製造の過程が簡単であり、着脱の整備が便利で、耐用性と作業の安定性が高く、かつ、応用の範囲が広い配線板を精密機械加工するための固定金型を提供する。【解決手段】配線板を精密機械加工するための固定金型は金型基板を有し、金型基板の一側面に複数の一体式の配線板定位部件が固定され、前記金型基板に精密着脱定位装置が設置された。固定金型の一体式の配線板定位部件は、配線板定位ピンであり、配線板定位ピンと金型基板が一体に連結される。【選択図】図１
0003141677.tif 000002
【実用新案登録請求の範囲】
【請求項１】
金型基板を有し、配線板を精密機械加工するための固定金型であって、
前記金型基板の一側面に複数の一体式の配線板定位部件が固定され、前記金型基板に精密着脱定位装置が設置されたことを特徴とする配線板を精密機械加工するための固定金型。
【請求項２】
前記一体式の配線板定位部件は、配線板定位ピンであり、前記配線板定位ピンと前記金型基板が一体に連結されることを特徴とする請求項1に記載の配線板を精密機械加工するための固定金型。
【請求項３】
前記精密着脱定位装置は均等に前記一体式の配線板定位部件の周りに分布された複数の精密着脱定位貫通孔を有し、前記精密着脱定位貫通孔の毎にそれぞれ精密固定ピンが穿設されることを特徴とする請求項1または請求項2に記載の配線板を精密機械加工するための固定金型。
【請求項４】
前記精密固定ピンは、精密固定ボルトであることを特徴とする請求項3に記載の配線板を精密機械加工するための固定金型。
【考案の詳細な説明】
【技術分野】
【０００１】
本実用新案は電子電気機器の分野に関し、特に電子電気プリント配線板の技術分野に関し、具体的に配線板を精密機械加工するための固定金型に関する。
【背景技術】
【０００２】
電子電気技術の続いている発展および集積回路の応用の普及につれて、プリント配線板の応用範囲がだんだん広くなり、特に回路規模が多くなるにつれて、各種の回路制御機能が複雑になり、プリント配線板の製造工芸に、連続チップ配線板の応用が多くなり、連続チップに一つ或はいくつかの単一チップが不良になると、整体の連続チップ配線板が正常の回路機能を発揮することができない。
【０００３】
従来の技術に、複数の不良な単一チップがある連続チップ配線板には、不良な単一チップを切り取る必要があり、そして良品の単一チップで取り替えて修繕する。このような連続チップ配線板の置換修繕は、配線板の生産に採用され、効率性が高く、利益性が高く、大幅に廃棄物を少なくなる環境保護の技術であり、連続チップ配線板の全体廃棄の様々の欠点を避けられる。
【０００４】
但し、従来の修繕技術に、定位精度が高くないから、取り替えた配線板の位置ずれが多くなり、このような欠点が極めてこの技術の発展を制約した。
【考案の開示】
【考案が解決しようとする課題】
【０００５】
従来の技術に、前記の精度不足の課題を解決するために、精度が高い切断器が採用されたが、配線板を定位するための金型に普通に定位ピンの方法が採用されるから、使用の過程にピンのずれ、ピンの脱落など異常な場合が発生し易く、切断の精度を確保できず、最終の配線板の置換と修繕の精度に影響した。
【０００６】
本実用新案は前記従来の技術の欠点を克服し、精度の高い工作機械と取り合わせて使われ、配線板の精度定位を実現でき、製造の過程が簡単であり、着脱の整備を便利になさせ、耐用性と作業の安定性が高く、応用の範囲が広いである配線板を精密機械加工するための固定金型を提供することを目的としている。
【課題を解決するための手段】
【０００７】
前記の目的を実現するために、本実用新案の配線板を精密機械加工するための固定金型は以下の構成を有する。
【０００８】
この配線板を精密機械加工するための固定金型は金型基板を有し、前記金型基板の一側面に複数の一体式の配線板定位部件が固定され、前記金型基板に精密着脱定位装置が設置された。
【０００９】
この配線板を精密機械加工するための固定金型の一体式の配線板定位部件は、配線板定位ピンであり、前記配線板定位ピンと前記金型基板が一体に連結される。
【００１０】
この配線板を精密機械加工するための固定金型の精密着脱定位装置は均等に前記一体式の配線板定位部件の周りに分布された複数の精密着脱定位貫通孔を有し、前記精密着脱定位貫通孔の毎にそれぞれ精密固定ピンが穿設される。
【００１１】
この配線板を精密機械加工するための固定金型の精密固定ピンは、精密固定ボルトである。
【考案の効果】
【００１２】
この実用新案の配線板を精密機械加工するための固定金型を採用すると、この金型基板に精密高い数値制御シーリングにより金型の形成プログラムによって直接に加工仕上げられた複数の一体式の配線板定位ピンがあり、且つこの定位ピンの周りに均等に複数の精密着脱定位貫通孔及びそれと取り合わせる精密固定ボルトが分布されるから、定位ピンの全自動加工を実現し、製造工芸の工程を簡単化になさせたとともに、ピンのサイズと位置の誤差が極小になることを確保し、大幅に配線板の定位精度を向上することができる。また、定位ピンと金型基板とは一体に連結され、根本に、使用の過程にピンの位置ずれ、脱落などような異常な状況を解消し、加工生産の過程中の信頼性を確保することができる。また、精密着脱定位貫通孔及び相応な精密固定ボルトにより金型の精密高い工作機械に対する着脱が行うから、金型の耐用性を向上し、使用の能率を向上し、整備のコストダウンを図り、且つ作業の安定性と信頼性が高く、適用の範囲がひろくなり、配線板の効率高い精密加工を実現するのに堅実な基礎を造ることができる。
【考案を実施するための最良の形態】
【００１３】
本実用新案の技術内容をよく理解させるために、以下の実施形態を説明する。
【００１４】
図1と図2に示すように、配線板を精密機械加工するための固定金型は金型基板2を備え、前記金型基板2の一側面に複数の一体式の配線板の定位部件が固定され、前記一体式の配線板の定位部件が配線板定位ピン3であり、前記配線板定位ピン3が前記金型基板2と一体に連結される。
【００１５】
同時に、前記金型基板2に精密着脱定位装置も設置され、前記精密着脱定位装置は前記一体式の配線板定位ピン3の周りに均等に設置される複数の精密着脱定位貫通孔4を備え、前記精密着脱定位貫通孔4の毎にそれぞれ精密固定ピンが穿設され、前記精密固定ピンが精密固定ボルト5である。
【００１６】
実際の使用中に、本実用新案の固定金型は連続チップ配線板の修繕に適用し、特に連続チップの一つ或はいくつかが不良になって切り取られた後に良品の単一チップで取り替える必要がある修繕に適用する。
【００１７】
本実用新案の固定金型は以下の技術アイディアを採用した。
【００１８】
この固定金型の金型基板2に直接に一体式の配線板定位ピン3が形成され、金型基板2の周りに均等に取り出すことを便利にするための精密着脱定位貫通孔4が分布され、相応な精密固定ボルト5が取り合わせれるから、金型が便利に着脱可能である。金型の形成プログラムは配線板穴あけプログラム或はデータから転換され、定位ピン3が精密高い数値制御シーリングによりプログラムによって金型基板2に直接に加工される。
【００１９】
これによって、金型基板2及び上の定位ピン3から整体の金型になって、周りに均等に分布している定位貫通孔4により着脱可能になって、繰り返して使用できる。
【００２０】
本実用新案の固定金型は金型基板2と、この金型基板2に直接に加工され金型基板2と一体に連結される配線板定位ピン3と、この金型基板2を着脱するための精密定位孔4と、この金型基板2を固定するための精密固定ボルト5を備える。
【００２１】
また、この金型基板2のサイズは精密工作機器の加工範囲によって規定され、一度に複数の配線板を配列するように加工し、且つ、金型基板2の定位ミスを防止するために配線板定位ピン3を設計するとともに金型基板2の精密着脱定位貫通孔4を設計し、定位ピン3を加工する時一緒に精密着脱定位貫通孔4を加工仕上げることができる。
【００２２】
前記配線板を精密機械加工するための固定金型を採用すると、この金型基板2に精密高い数値制御シーリングにより金型の形成プログラムによって直接に加工仕上げられた複数の一体式の配線板定位ピン3があり、且つこの定位ピン3の周りに均等に複数の精密着脱定位貫通孔4及びそれと取り合わせる精密固定ボルト5が分布されるから、定位ピン3の全自動加工を実現し、製造工芸の工程を簡単化になさせたとともに、ピンのサイズと位置の誤差が極小になることを確保し、大幅に配線板の定位精度を向上することができる。また、定位ピン3と金型基板2とは一体に連結され、根本に、使用の過程にピンの位置ずれ、脱落などような異常な状況を解消し、加工生産の過程中の信頼性を確保することができる。また、精密着脱定位貫通孔4及び相応な精密固定ボルト5により金型の精密高い工作機械に対する着脱が行うから、金型の耐用性を向上し、使用の能率を向上し、整備のコストダウンを図り、且つ作業の安定性と信頼性が高く、適用の範囲がひろくなり、配線板の効率高い精密加工を実現するのに堅実な基礎を造ることができる。
【００２３】
この明細書に、本実用新案は特定の実施形態を参考して説明する。但し、本実用新案の要旨を逸脱しない範囲で種々の修正と改変を施すことができる。したがって、明細書と図は限定をするものではなく、説明性を有する。
【図面の簡単な説明】
【００２４】
【図１】本実用新案の配線板を精密機械加工するための固定金型を示す正面図である。
【図２】本実用新案の配線板を精密機械加工するための固定金型を示す斜視図である。
【図１】
0003141677.tif 000003
【図２】
0003141677.tif 000004